(57)【要約】【課題】簡易な構造で防水体を小型化すると共に、回路基板への水の浸入を防止する放電灯点灯装置を提供する。【解決手段】回路素子３ａが実装され、放電灯を点灯させる点灯回路を構成する回路基板３と、回路基板３に実装される出力コネクタ４と、放電灯に電気的に接続されて、出力コネクタ４と着脱自在に構成された出力コネクタ５と、凹部６ａが形成された防水体６とを備え、回路基板３は、上面が開口したケース１に収納されており、ケース１内に封止剤７を充填することで、出力コネクタ４と回路基板３とを接続する端子４ａおよび回路素子３ａが封止され、封止剤７で封止されていない出力コネクタ４の一部と、出力コネクタ５とを凹部６ａ内に収納し、凹部６ａの開口周縁が封止剤７の表面と当接することで、防水体６の凹部６ａ内の空間と凹部６ａ外の空間とが隔離される。【選択図】図１
2011204482.tif 000002
【特許請求の範囲】
【請求項１】
１乃至複数の回路素子が実装され、放電灯を点灯させる点灯回路を構成する回路基板と、
当該回路基板に実装される第１のコネクタと、
前記放電灯に電気的に接続されて、前記第１のコネクタと着脱自在に構成された第２のコネクタと、
凹部が形成された防水体とを備え、
前記第１のコネクタと前記第２のコネクタとが互いに接続することで、前記点灯回路が出力する電力が前記放電灯に供給され、
前記回路基板は、一面が開口したケースに収納されており、当該ケース内に封止剤を充填することで、前記第１のコネクタと前記回路基板とを接続する充電部および、前記回路基板に実装された前記回路素子が封止され、
前記防水体は、前記凹部の開口面が前記封止剤の表面と対向するように配置され、前記封止剤で封止されていない前記第１のコネクタの一部と、前記第１のコネクタに接続された前記第２のコネクタとを前記凹部内に収納し、
前記防水体の前記凹部内の空間と前記凹部外の空間とを隔離する隔離手段が、前記凹部の開口周縁に形成されることを特徴とする放電灯点灯装置。
【請求項２】
前記隔離手段は、前記防水体の前記凹部の開口周縁が前記封止剤の表面と当接することで構成されることを特徴とする請求項１記載の放電灯点灯装置。
【請求項３】
前記封止剤の表面と対向する一面を有した板部材を備えており、
前記防水体は、前記板部材の一面と当接する鍔部が設けられることを特徴とする請求項２記載の放電灯点灯装置。
【請求項４】
前記防水体の前記凹部の開口周縁は、前記封止剤で封止されていないことを特徴とする請求項１乃至３のいずれか１項に記載の放電灯点灯装置。
【請求項５】
前記防水体の前記凹部の内周面または外周面の全周に沿って形成された遮断部材を備え、
前記隔離手段は、前記遮断部材が前記防水体の前記凹部の内周面または外周面に弾接することで構成されることを特徴とする請求項１記載の放電灯点灯装置。
【請求項６】
前記封止剤の表面から突出し、前記防水体の前記凹部の開口周縁に対向する端面に溝が形成された遮断部材を備え、
前記隔離手段は、前記遮断部材の前記溝に前記防水体の前記凹部の開口周縁が嵌合することで構成されることを特徴とする請求項１記載の放電灯点灯装置。
【請求項７】
前記隔離手段は、前記防水体の前記凹部の開口周縁が前記封止剤で封止されることで構成されることを特徴とする請求項１記載の放電灯点灯装置。
【請求項８】
前記ケースは導電性を有する材質で形成され、前記ケースの開口を塞ぐようにビスでケースに固定されて導電性を有する蓋を備えており、
導電性を有するシールドメッシュ線で覆われた電線の一端が前記第２のコネクタに接続されており、前記シールドメッシュ線の一端には、前記ケースと前記シールドメッシュ線とを接続するＧＮＤ固定金具が設けられており、
当該ＧＮＤ固定金具は、前記シールドメッシュ線と電気的に接続される金具本体と、当該金具本体から延設され、前記蓋と共に前記ビスで前記ケースに固定され、前記ケースと電気的に接続される第１の延設部と、前記金具本体から略Ｌ字状に延設され、前記蓋に形成された挿通穴に挿通して前記蓋に係止される第２の延設部とを備えていることを特徴とする請求項１乃至７のいずれか１項に記載の放電灯点灯装置。
【請求項９】
前記蓋は、前記シールドメッシュ線で覆われた前記電線を、前記ケース外からケース内に挿通させる第１の電線挿通部と、前記ケース内からケース外に挿通させる第２の電線挿通部が形成されることを特徴とする請求項８記載の放電灯点灯装置。
【発明の詳細な説明】
【技術分野】
【０００１】
本発明は、放電灯点灯装置に関するものである。
【背景技術】
【０００２】
車両のヘッドランプやフォグライトに用いるＨＩＤランプを点灯させる放電灯点灯装置が、大型ヘッドランプを搭載した大型車から、小型ヘッドランプを搭載した小型車または軽自動車にまで備えられるようになっている。搭載されるヘッドランプの小型化により、放電灯点灯装置を配置する位置が、ヘッドランプの下面に配置されることが多い。そのため、ヘッドランプ内に水が浸入すると、放電灯点灯装置内にも水が浸入して故障するおそれがあった。しかし、ヘッドランプ自体の気密性・防水性を向上させるためには、構造が複雑となり、コストが高くなるため、実現が難しかった。
【０００３】
そこで、防水性を向上させた放電灯点灯装置が提案されている（例えば、特許文献１、特許文献２参照）。
【０００４】
特許文献１の放電灯点灯装置の断面図を図１２（ａ）、外観上面図を図１２（ｂ）に示す。従来例１の放電灯点灯装置は、一面が開口した円筒形のケース１０１に回路基板１０３が収納され、ケース１０１の開口を覆うようにカバー１０２が設けられている。回路基板１０３には、放電灯を点灯させる点灯回路が構成されている。また、回路基板１０３には、メス側コネクタ１０４が実装されており、放電灯が取り付けられるソケット（図示なし）に電線１０６を介して接続されたオス側コネクタ１０５と接続することで、点灯回路が出力する電力が放電灯に供給される。また、ケース１０１内には封止剤１０８が充填されており、回路基板１０３に実装された回路素子が封止されている。
【０００５】
また、カバー１０２には、オス側コネクタ１０５および電線１０６を挿通するための円筒状の挿通穴が形成されており、挿通穴を覆うように防水体１０７がカバー１０２に設けられている。上記の構成によって、ケース１０１内に水が浸入するのを防止している。
【０００６】
次に、特許文献２の放電灯点灯装置の断面図を図１３に示す。従来例２の放電灯点灯装置は、ケース２０１に回路基板２０２が収納されている。回路基板２０２には、オス側コネクタ２０３が実装されており、ケース２０１の上面には、オス側コネクタ２０３および、オス側コネクタ２０３に接続されるメス側コネクタ２０４を挿通させるための、挿通穴が形成されている。
【０００７】
また、オス側コネクタ２０３の外周面および、ケース２０１外における挿通穴周縁を覆うように防水ゴム２０５がケース２０１に設けられている。それによって、ケース２０１内に水が浸入するのを防止している。
【先行技術文献】
【特許文献】
【０００８】
【特許文献１】特開２００５−２０３１８７号公報
【特許文献２】特開２００９−１７０３５９号公報
【発明の概要】
【発明が解決しようとする課題】
【０００９】
しかし、特許文献１の放電灯点灯装置は、防水体１０７がカバー１０２に設けられているため、防水体１０７が大きくなり、コストが高くなる問題があった。
【００１０】
また、特許文献２の放電灯点灯装置は、防水ゴム２０５がオス側コネクタ２０３の外周面と、挿通穴の周縁とを覆うようにケース２０１に設けられているため、防水ゴム２０５が大きくなり、コストが高くなる問題があった。
【００１１】
本発明は、上記事由に鑑みてなされたものであり、その目的は、簡易な構造で防水体を小型化すると共に、回路基板への水の浸入を防止する放電灯点灯装置を提供することにある。
【課題を解決するための手段】
【００１２】
本発明の第１の発明の放電灯点灯装置は、１乃至複数の回路素子が実装され、放電灯を点灯させる点灯回路を構成する回路基板と、当該回路基板に実装される第１のコネクタと、前記放電灯に電気的に接続されて、前記第１のコネクタと着脱自在に構成された第２のコネクタと、凹部が形成された防水体とを備え、前記第１のコネクタと前記第２のコネクタとが互いに接続することで、前記点灯回路が出力する電力が前記放電灯に供給され、前記回路基板は、一面が開口したケースに収納されており、当該ケース内に封止剤を充填することで、前記第１のコネクタと前記回路基板とを接続する充電部および、前記回路基板に実装された前記回路素子が封止され、前記防水体は、前記凹部の開口面が前記封止剤の表面と対向するように配置され、前記封止剤で封止されていない前記第１のコネクタの一部と、前記第１のコネクタに接続された前記第２のコネクタとを前記凹部内に収納し、前記防水体の前記凹部内の空間と前記凹部外の空間とを隔離する隔離手段が、前記凹部の開口周縁に形成されることを特徴とする。
【００１３】
本発明の第２の発明の放電灯点灯装置は第１の発明において、前記隔離手段は、前記防水体の前記凹部の開口周縁が前記封止剤の表面と当接することで構成されることを特徴とする。
【００１４】
本発明の第３の発明の放電灯点灯装置は第２の発明において、前記封止剤の表面と対向する一面を有した板部材を備えており、前記防水体は、前記板部材の一面と当接する鍔部が設けられることを特徴とする。
【００１５】
本発明の第４の発明の放電灯点灯装置は第１乃至３のいずれか１つの発明において、前記防水体の前記凹部の開口周縁は、前記封止剤で封止されていないことを特徴とする。
【００１６】
本発明の第５の発明の放電灯点灯装置は第１の発明において、前記防水体の前記凹部の内周面または外周面の全周に沿って形成された遮断部材を備え、前記隔離手段は、前記遮断部材が前記防水体の前記凹部の内周面または外周面に弾接することで構成されることを特徴とする。
【００１７】
本発明の第６の発明の放電灯点灯装置は第１の発明において、前記封止剤の表面から突出し、前記防水体の前記凹部の開口周縁に対向する端面に溝が形成された遮断部材を備え、前記隔離手段は、前記遮断部材の前記溝に前記防水体の前記凹部の開口周縁が嵌合することで構成されることを特徴とする。
【００１８】
本発明の第７の発明の放電灯点灯装置は第１の発明において、前記隔離手段は、前記防水体の前記凹部の開口周縁が前記封止剤で封止されることで構成されることを特徴とする。
【００１９】
本発明の第８の発明の放電灯点灯装置は第１乃至７のいずれか１つの発明において、前記ケースは導電性を有する材質で形成され、前記ケースの開口を塞ぐようにビスでケースに固定されて導電性を有する蓋を備えており、導電性を有するシールドメッシュ線で覆われた電線の一端が前記第２のコネクタに接続されており、前記シールドメッシュ線の一端には、前記ケースと前記シールドメッシュ線とを接続するＧＮＤ固定金具が設けられており、当該ＧＮＤ固定金具は、前記シールドメッシュ線と電気的に接続される金具本体と、当該金具本体から延設され、前記蓋と共に前記ビスで前記ケースに固定され、前記ケースと電気的に接続される第１の延設部と、前記金具本体から略Ｌ字状に延設され、前記蓋に形成された挿通穴に挿通して前記蓋に係止される第２の延設部とを備えていることを特徴とする請求項１乃至７のいずれか１項に記載の放電灯点灯装置。
【００２０】
本発明の第８の発明の放電灯点灯装置は第１の発明において、前記蓋は、前記シールドメッシュ線で覆われた前記電線を、前記ケース外からケース内に挿通させる第１の電線挿通部と、前記ケース内からケース外に挿通させる第２の電線挿通部が形成されることを特徴とする。
【発明の効果】
【００２１】
以上説明したように、本発明では、簡易な構造で防水体を小型化すると共に、回路基板への水の浸入を防止することができるという効果がある。
【図面の簡単な説明】
【００２２】
【図１】本発明の実施形態の放電灯点灯装置の断面を示す図である。
【図２】同上の外観上面を示す図である。
【図３】同上の点灯回路の概略回路構成を示す図である。
【図４】（ａ）（ｂ）同上の防水体の鍔部および蓋の一部断面を示す図である。
【図５】同上の放電灯点灯装置の断面を示す図である。
【図６】同上の防水体および遮断部材の一部断面を示す図である。
【図７】同上の放電灯点灯装置の断面を示す図である。
【図８】同上の放電灯点灯装置の断面を示す図である。
【図９】同上の放電灯点灯装置の断面を示す図である。
【図１０】同上の放電灯点灯装置の断面を示す図である。
【図１１】同上の放電灯点灯装置の断面を示す図である。
【図１２】（ａ）特許文献１の放電灯点灯装置の断面を示す図である。（ｂ）特許文献１の放電灯点灯装置の外観上面を示す図である。
【図１３】特許文献２の放電灯点灯装置の断面を示す図である。
【発明を実施するための形態】
【００２３】
以下、本発明の実施の形態を図面に基づいて説明する。
【００２４】
（実施形態）
本実施形態の放電灯点灯装置の断面図を図１、外観上面図を図２に示す。なお、図１における上下左右方向を基準として、以下に説明する。本実施形態の放電灯点灯装置は、車両のヘッドランプ等に用いられる放電灯（ＨＩＤランプ）を点灯させる。
【００２５】
本実施形態の放電灯点灯装置は、放電灯（図示なし）を点灯させる点灯回路を構成する回路基板３と、回路基板３を収納するケース１と、電線１０を介して回路基板３に電気的に接続され、放電灯が取り付けられるソケット２で構成されている。
【００２６】
ケース１は、導電性を有する金属などからなり、上面が開口した略円筒状に形成されている。ケース１内部の底面には、回路基板３が収納されている。回路基板３には、回路素子３ａと、入力コネクタ８と、出力コネクタ４（第１のコネクタ）とが実装されている。
【００２７】
複数の回路素子３ａが回路基板３に実装されることで、放電灯を点灯させる点灯回路を構成している。
【００２８】
図３に本実施形態の放電灯点灯装置に用いられる点灯回路の概略回路構成図を示す。点灯回路は、ＤＣ／ＤＣコンバータ部２１と、出力平滑回路部２２と、ＤＣ／ＡＣ回路部２３と、イグナイタ部２４と、制御回路部２５とで構成されている。
【００２９】
ＤＣ／ＤＣコンバータ部２１は、入力フィルタと昇降圧型フライバックコンバータを備えており、入力電圧を安定点灯に適したランプ電圧まで昇圧させる。なお、昇降圧型フライバックコンバータは、入力電圧に応じて昇圧型や降圧型であってもよい。
【００３０】
出力平滑回路部２２は、ＤＣ／ＤＣコンバータ部２１の出力電圧を平滑して、ＤＣ／ＡＣ回路部２３に出力する。
【００３１】
ＤＣ／ＡＣ回路部２３は、フルブリッジ型のインバータを備えており、出力平滑回路部２２から出力される直流電圧を、略矩形波に交流変換して、イグナイタ部２４に出力する。なお、フルブリッジ型インバータは、ハーフブリッジ型であってもよい。
【００３２】
イグナイタ部２４は、放電灯（ＨＩＤランプ）を起動させるために、放電ギャップを用いて高電圧パルス電圧を発生させる。なお、ＬＣ共振電圧による始動方式のイグナイタ回路であってもよい。
【００３３】
制御回路部２５は、ＩＬＡ検出部２６と、ＶＬＡ検出部２７と、２次電力演算部２８と、電源電圧監視部２９と、ＨＦ駆動回路部３０と、ＬＦ駆動回路部３１とで構成されている。
【００３４】
ＩＬＡ検出部２６は、ＤＣ／ＤＣコンバータ部２１の出力電流を検出している。ＶＬＡ検出部２７は、ＤＣ／ＤＣコンバータ部２１の出力電圧を検出している。２次電力演算部２８は、ＩＬＡ検出部２６とＶＬＡ検出部２７の検出結果から、目標となる２次電力との差を演算して、ＨＦ駆動回路部３０に出力する。ＨＦ駆動回路部３０は、２次電力演算部２８の出力に基づいて、ＤＣ／ＤＣコンバータ部２１のフライバックコンバータのスイッチング素子を制御する。ＬＦ駆動回路３１は、ＤＣ／ＡＣ回路部２３のフルブリッジ型のインバータのスイッチング素子を制御している。
【００３５】
電源電圧監視部２９は、入力電圧を監視して、２次電力演算部に出力している。また、２次電力演算部は、ＶＬＡ検出部２６の検出結果から、放電灯の点灯状態を監視しており、入力電圧や放電灯に異常があった場合は、ＨＦ駆動回路部３０および、ＬＦ駆動回路部３１を停止させる。
【００３６】
なお、上記で説明した点灯回路は一例であり、上記の構成に限定するものではない。また、点灯回路は公知の回路構成であり、詳細な説明は省略する。
【００３７】
次に、本実施形態の放電灯点灯装置の構造について説明する。
【００３８】
回路基板３に実装された入力コネクタ８は、断面が略矩形状に形成され、ケース１の左面に設けられた挿通穴に挿通して、ケース１に保持されている。また、入力コネクタ８の右面から突出した略Ｌ字状の端子８ａが半田によって回路基板３に接続している。そして、バッテリに接続されたコネクタ（図示なし）が入力コネクタ８に電気的・機械的に接続することによって、点灯回路に入力電源が供給される。
【００３９】
出力コネクタ４は、矩形体に形成され、下面から突出した端子４ａ（充電部）が半田で回路基板３と接続することによって、出力コネクタ４と回路基板３とが電気的に接続している。
【００４０】
また、ケース１の底面にはシリコン樹脂等からなる封止剤７が充填されている。封止剤７は、回路基板３に実装される回路素子３ａと、入力コネクタ８の端子８ａと、出力コネクタ４の端子４ａ（充電部）とを封止し、封止剤７の表面が出力コネクタ４の上面より下となるように充填されている。それによって、回路基板３と、回路素子３ａと、入力コネクタ８の端子８ａと、出力コネクタ４の端子とをケース１内に侵入した水から隔離することができ、防水することができる。
【００４１】
また、出力コネクタ４と互いに電気的・機械的に接続する出力コネクタ５（第２のコネクタ）が、出力コネクタ４に接続されている。出力コネクタ５は、矩形体に形成され、上面に電線１０の一端が接続されている。電線１０の他端は、放電灯が取り付けられるソケット２に接続されている。なお、本実施形態の放電灯点灯装置の点灯回路は、イグナイタ部２４がソケット２に設けられており、ＤＣ／ＡＣ回路部２３とイグナイタ部２４とは、出力コネクタ４、５と電線１０とを介して接続されている。そして、出力コネクタ４と、出力コネクタ５とが接続することによって、点灯回路の出力電力が放電灯に供給され、放電灯が点灯する。
【００４２】
また、本実施形態の放電灯点灯装置は、下面に凹部６ａが形成された防水体６を備えている。防水体６は、弾性を有するゴム等で上面が矩形状に形成され、凹部６ａは内周全面が出力コネクタ４、５の外周面に沿うように矩形状に形成されている。そして、防水体６は、封止剤７の表面から突出して封止されていない出力コネクタ４の一部と出力コネクタ５とを、凹部６ａ内に収納するように、出力コネクタ５の上部から覆うように設けられている。そして、出力コネクタ４と出力コネクタ５とが接続された状態で、防水体６の凹部６ａの開口周縁が、封止剤７の表面と当接するように、防水体６は形成されている。防水体６の凹部６ａの開口周縁が、出力コネクタ４の周囲の封止剤７の表面と当接することによって、防水体６の凹部６ａの内部と凹部６ａの外部とを隔離することができる。そのため、ケース１内に侵入した水が凹部６ａ内に浸入するのを防止し、出力コネクタ４、５と、出力コネクタ４と出力コネクタ５との接続部とを防水することができる。
【００４３】
また、防水体６の上面には、出力コネクタ５に接続される電線１０を挿通するための、挿通穴６ｂが形成されている。挿通穴６ｂは電線１０の径よりわずかに小さく形成されており、挿通穴６ｂの周縁が電線１０を弾接している。それによって、水が電線１０を伝って防水体６の凹部６ａ内に侵入するのを防止している。
【００４４】
また、本実施形態の防水体６は、出力コネクタ５と出力コネクタ４の封止剤７の表面から突出した部分とを覆っている。つまり、本実施形態の防水体６は出力コネクタ４、５のみを覆うように形成されている。したがって、従来のようにカバーを覆うように防水体が設けられていないため、本実施形態の防水体６は構造が簡易化して、小さくすることができ、コストを削減することができる。また、防水体６がケース１に接していなく、出力コネクタ４、５を覆うように設けているので、容易に防水体６を取り外すことができる。そのため、メンテナンスで出力コネクタ５を出力コネクタ４から取り外す際に、容易に防水体６を取り外した後に、出力コネクタ５を出力コネクタ４から取り外すことができるので、メンテナンスの工数を削減することができる。
【００４５】
また、従来のように防水体でカバーを覆う場合に比べて、本実施形態の防水体６は出力コネクタ４、５のみを覆っているので、ケース１内の残存空気が少ない。そのため、放電灯点灯装置が水没した際に、いわゆる呼吸作用による水の引き込み量が少なく、防水性が安定している。
【００４６】
なお、防水体６の凹部６ａの内周面には、図示しない係止爪が形成されており、係止爪が出力コネクタ４に設けられた図示しない係止穴に係止している。それによって、防水体６を出力コネクタ４に固定することができ、防水体６の凹部６ａの開口周縁と封止剤７の表面とが上下方向に離間することを防止している。そのため、防水体６の凹部６ａ内に水が浸入するのをより確実に防止することができる。
【００４７】
また、ケース１の開口を塞ぐように、導電性を有する金属で薄板状に形成された蓋９が設けられている。蓋９には、防水体６および出力コネクタ５を挿通させるための挿通穴９ａが形成されている。また、ケース１には、ケース１内の底面から側面に沿ってリブ１ａが形成されており、リブ１ａの上面に円筒状のスペーサー１ｂが設けられている。そして、蓋９は、スペーサー１ｂおよびリブ１ａを介してケース１に、導電性を有する金属で形成されたビス１ｃで固定されている。また、スペーサー１ｂおよびリブ１ａの上面から下面にビス１ｃが挿通する挿通穴が形成されており、ケース１の底面に形成されたネジ穴に、挿通穴を介してビス１ｃが嵌め合わされる。それによって、蓋９は、ケース１に固定されると共に、ビス１ｃを介してケース１に電気的に接続される。
【００４８】
また、電線１０は、絶縁性を有する被覆で覆われている。そして、被覆で覆われた複数の電線１０はまとめて、導電性を有する金属からなる円筒状のシールドメッシュ線１１で覆われており、シールドメッシュ線１１の端部には、導電性を有するＧＮＤ固定金具１２が設けられている。ＧＮＤ固定金具１２は、金具本体１２ａと、金具本体１２ａから延設された第１の延設部１２ｂと、第２の延設部１２ｃとで構成されている。
【００４９】
金具本体１２ａは、円筒状に形成され、シールドメッシュ線１１の一端の周縁を覆い、かしめることでシールドメッシュ線１１に固定さると共に電気的に接続している。
【００５０】
また、第１の延設部１２ｂは、金具本体１２ａの下部から左方向へ蓋９の上面に沿うように延設されている。そして、第１の延設部１２ｂの左端は、蓋９と共にビス１ｃでスペーサー１ｂおよびリブ１ａを介してケース１に固定されている。それによって、シールドメッシュ線１１が、ＧＮＤ固定金具１２とビス１ｃとを介してケース１に接地されるので、シールドメッシュ線１１によるノイズ低減性能が向上する。また、第１の延設部１２ｂは蓋９の上面に沿うように形成されているため、第１の延設部１２ｂと蓋９との接触面積が増加することで接触抵抗が小さくなり、シールドメッシュ線１１によるノイズ低減性能がさらに向上する。
【００５１】
また、第２の延設部１２ｃは、金具本体１２ａの下部から、略Ｌ字状に形成されている。そして、蓋９に設けられた係止穴９ｂに、第２の延設部１２ｃが挿通して係止されることによって、金具本体１２ａを蓋９に固定することができる。
【００５２】
また、図２に示すように、シールドメッシュ線１１に設けられるＧＮＤ固定金具１２がケース１および蓋９の略中央となるように配置されている。そのため、シールドメッシュ線１１の取り回しの自由度が向上する。したがって、放電灯点灯装置を車両に取り付ける際に、左右のヘッドランプに対応することができる。
【００５３】
また、図４（ａ）に示すように、防水体６の外周面に蓋９の挿通穴９ａ周縁の下面と当接する鍔部６ｃを設けてもよい。鍔部６ｃは、弾性を有する防水体６と一体形成されて、防水体６の外周面に設けられている。そして、鍔部６ｃの上面が蓋９の挿通穴９ａの下面と当接することによって、防水体６を位置決めし、上方向の移動を規制することができる。したがって、防水体６の凹部６ａの開口周縁と封止剤７の表面とが上下方向に離間するのを防止することができる。それによって、防水体６の凹部６ａ内の防水性をさらに向上させることができる。また、鍔部６ｃは、弾性を有する防水体６と一体形成されているため、上下方向に撓む可撓性を有している。そのため、ケース１に蓋９が設けられた状態であっても、鍔部６ｃが上下方向に撓むことによって、防水体６の着脱が可能となり、メンテナンス性が向上する。
【００５４】
さらに、図４（ｂ）に示すように、鍔部６ｃに加えて、蓋９の挿通穴９ａ周縁の上面と当接する鍔部６ｄを設けてもよい。鍔部６ｄは、防水体６と一体形成されて、防水体６の外周面に設けられている。そして、鍔部６ｃと鍔部６ｄとで蓋９の挿通穴９ａ周縁を挟むことによって、防水体６を位置決めし、防水体６の上下方向の移動を規制することができる。したがって、防水体６の凹部６ａの開口周縁と封止剤７の表面とが上下方向に離間するのを防止することができる。それによって、防水体６の凹部６ａ内の防水性をさらに向上させることができる。
【００５５】
また、図５に示すように、防水体６の凹部６ａの内周面に弾接する遮断部材１３を設けてもよい。遮断部材１３は、出力コネクタ４の外周に沿うように矩形の筒状に形成されて回路基板３に実装されており、封止剤７の表面から突出している。そして、遮断部材１３の外周面と、防水体６の凹部６ａの内周面とが全周にわたって弾接している。それによって、防水体６の凹部６ａの内部と外部とが隔離され、防水体６の凹部６ａ内に水が浸入することを防止している。
【００５６】
また、図６に示すように、上面に溝１４ａが形成された遮断部材１４を設けてもよい。遮断部材１４は、防水体６の凹部６ａの開口周縁に対向するように矩形の筒状に形成されて回路基板３に実装されており、封止剤７の表面から突出して、上面に溝１４ａが形成されている。そして、防水体６の凹部６ａの開口周縁が全周にわたって、遮断部材１４の溝１４ａに嵌め合わされている。それによって、防水体６の凹部６ａの内部と外部とが隔離され、防水体６の凹部６ａ内に水が浸入することを防止している。
【００５７】
また、図７に示すように、出力コネクタ４の外周面に、防水体６の凹部６ａの内周面と弾接する鍔部４ｂを設けてもよい。鍔部４ｂは、出力コネクタ４の外周面の全周にわたって設けられている。そして、鍔部４ｂの端面が、防水体６の凹部６ａの内周面と弾接している。それによって、防水体６の凹部６ａと外部とが隔離され、防水体６の凹部６ａ内に水が浸入することを防止している。
【００５８】
また、図８に示すように、電線を介してバッテリーに接続される入力コネクタ８ｄと上下方向に接続される入力コネクタ８ｂを設けてもよい。図１で説明した入力コネクタ８は、略Ｌ字状の端子８ａが底面から突出して回路基板３に実装されているが、入力コネクタ８ｂは、直線状の端子８ｃが底面から突出して回路基板３に実装されている。また、入力コネクタ８ｂの上面には、電線を介してバッテリーに電気的に接続され、矩形体に形成された入力コネクタ８ｄが接続されている。そして、入力コネクタ８ｂ、８ｄには、図１で説明した防水体６と同様の形状の防水体１５が上部から覆うように設けられている。そして、防水体１５の下面に形成された凹部１５ａの開口周縁が、入力コネクタ８ｂ周囲の封止剤７の表面と当接している。それによって、防水体１５の凹部１５ａの内部と凹部１５ａの外部とを隔離することができる。そのため、入力コネクタ８ｂ、８ｄを防水することができる。
【００５９】
また、図９に示すように、上記で説明した防水体６と防水体１５とを一体に形成した防水体１６を設けてもよい。防水体１６は、弾性を有する矩形体で、下面に矩形状の凹部１６ａが形成されている。そして、凹部１６ａ内に入力コネクタ８ｂ、８ｄと、出力コネクタ４、５とを収納するように、防水体１６が上部から覆うように設けられている。そして、防水体１６の凹部１６ａの開口周縁と封止剤７の表面とが当接することによって、凹部１６ａの内部と外部とを隔離することができる。そのため、出力コネクタ４、５と、入力コネクタ８ｂ、８ｃとを防水することができる。また、防水体６と防水体１５とを一体に形成した防水体１６を用いることによって、部品点数を削減することができ、コストを低下させることができる。
【００６０】
また、防水体１６の上面には凹部１６ｂが形成されている。凹部１６ｂは、出力コネクタ５と入力コネクタ８ｄとの間に形成されている。そして、凹部１６ｂの左側壁と凹部１６ａの左側壁との間に凹部１６ｃが形成され、凹部１６ｂの右側壁と凹部１６ａの右側壁との間に凹部１６ｄが形成される。そして、凹部１６ｃ内に入力コネクタ８ｄが収納され、凹部１６ｄ内に出力コネクタ５が収納されるように、防水体１６を上部から覆うように設けることによって、防水体１６の左右方向の位置決めをすることができる。
【００６１】
また、図１０に示すように、シールドメッシュ線１１で覆われた電線６を蓋９の上面から下面に挿通させる挿通穴９ｃと、蓋９の下面から上面に挿通させる挿通穴９ｄとを蓋９に形成してもよい。シールドメッシュ線１１を挿通穴９ｃ、９ｄに挿通させて、蓋９に引っ掛けることによって、シールドメッシュ線１１と蓋９の挿通穴９ｃ、９ｄの開口周縁とが当接する。そのため、シールドメッシュ線１１と蓋９とが接触する面積が増加して、接触抵抗が小さくなるので、シールドメッシュ線１１によるノイズ低減性能がより向上する。
【００６２】
また、図１１に示すように、防水体６の凹部６ａの開口周縁を、封止剤７で封止してもよい。それによって、防水体６の凹部６ａの内部と外部とをより確実に隔離することができ、防水性が向上し、出力コネクタ４と出力コネクタ５とをより確実に防水することができる。
【符号の説明】
【００６３】
１    ケース
２    ソケット
３    回路基板
４    出力コネクタ
５    出力コネクタ
６    防水体
６ａ  凹部
７    封止剤
８    入力コネクタ
９    蓋
１０  電線
１１  シールドメッシュ線
１２  ＧＮＤ固定金具
１２ａ  金具本体
１２ｂ  第１の延設部
１２ｃ  第２の延設部
【図１】
2011204482.tif 000003
【図２】
2011204482.tif 000004
【図３】
2011204482.tif 000005
【図４】
2011204482.tif 000006
【図５】
2011204482.tif 000007
【図６】
2011204482.tif 000008
【図７】
2011204482.tif 000009
【図８】
2011204482.tif 000010
【図９】
2011204482.tif 000011
【図１０】
2011204482.tif 000012
【図１１】
2011204482.tif 000013
【図１２】
2011204482.tif 000014
【図１３】
2011204482.tif 000015